(57)【要約】【課題】複数の被写体の、被写体毎の切り抜き画像を１回の撮影で取得する。【解決手段】  本発明の撮影装置は、撮影を行う撮影部と、撮影指示の入力前の撮影待機状態において前記撮影部の撮影画像を逐次表示するプレビュー表示を行う表示部と、前記表示部上の複数の領域の指定を受け付け、該指定された複数の領域それぞれの位置を示す位置特定信号を出力する入力部と、前記位置特定信号を受け付けた後に、前記撮影指示が入力されると、前記位置特定信号に示される前記複数の領域それぞれに対応する領域の画像を取得する制御部と、を有する。【選択図】図１
2013027012.tif 000002
【特許請求の範囲】
【請求項１】
撮影を行う撮影部と、
撮影指示の入力前の撮影待機状態において前記撮影部の撮影画像を逐次表示するプレビュー表示を行う表示部と、
前記表示部上の複数の領域の指定を受け付け、該指定された複数の領域それぞれの位置を示す位置特定信号を出力する入力部と、
前記位置特定信号を受け付けた後に、前記撮影指示が入力されると、前記位置特定信号に示される前記複数の領域それぞれに対応する領域の画像を取得する制御部と、を有することを特徴とする撮影装置。
【請求項２】
請求項１記載の撮影装置において、
前記入力部は、前記表示部に重ね合わせて配置されるタッチパッドであることを特徴とする撮影装置。
【請求項３】
請求項１または２記載の撮影装置において、
前記制御部は、前記位置特定信号に示される前記複数の領域それぞれの位置を示す画像を前記撮影部の撮影画像に重畳して前記表示部に表示させることを特徴とする撮影装置。
【請求項４】
請求項３記載の撮影装置において、
前記制御部は、前記指定された領域に含まれる被写体が移動した場合には、前記指定された領域の位置を示す画像を前記被写体の移動に追従するように前記表示部させるとともに、前記撮影指示の入力時の前記指定された領域に対応する領域の画像を取得することを特徴とする撮影装置。
【請求項５】
撮影装置の制御方法であって、
撮影を行い、
撮影指示の入力前の撮影待機状態において撮影した撮影画像を表示部に逐次表示するプレビュー表示を行い、
前記表示部上の複数の領域の指定を受け付け、該指定された複数の領域それぞれの位置を示す位置特定信号を出力し、
前記位置特定信号を受け付けた後に、前記撮影指示が入力されると、前記位置特定信号に示される前記複数の領域それぞれに対応する領域の画像を取得することを特徴とする撮影装置の制御方法。
【請求項６】
請求項５記載の撮影装置の制御方法において、
前記位置特定信号に示される前記複数の領域それぞれの位置を示す画像を前記撮影画像に重畳して表示することを特徴とする撮影装置の制御方法。
【請求項７】
請求項６記載の撮影装置の制御方法において、
前記指定された領域に含まれる被写体が移動した場合には、前記指定された領域の位置を示す画像を前記被写体の移動に追従するように表示するとともに、前記撮影指示の入力時の前記指定された領域の位置に対応する領域の画像を取得することを特徴とする撮影装置の制御方法。
【請求項８】
撮影装置に、
撮影を行う処理と、
撮影指示の入力前の撮影待機状態において撮影した撮影画像を表示部に逐次表示するプレビュー表示を行う処理と、
前記表示部上の複数の領域の指定を受け付け、該指定された複数の領域それぞれの位置を示す位置特定信号を出力する処理と、
前記位置特定信号の受け付け後に、前記撮影指示が入力されると、前記位置特定信号に示される前記複数の領域それぞれに対応する領域の画像を取得する処理と、を実行させるプログラム。
【発明の詳細な説明】
【技術分野】
【０００１】
本発明は、撮影装置、撮影装置の制御方法、および、プログラムに関する。
【背景技術】
【０００２】
撮影機能を備えた撮影装置としては、デジタルカメラ、携帯電話、携帯型ゲーム機など種々の装置がある。このような撮影装置の多くは、撮影部および表示部を有しており、写真の撮影指示の入力前の撮影待機状態において、撮影部の撮影画像を表示部に逐次表示するプレビュー表示を行うことができる。
【０００３】
撮影装置に組み込む技術として、撮影画像における特定の被写体だけを切り抜いた切り抜き画像を取得する技術がある。この技術としては、その特定の被写体を含む構図で写真撮影を行った静止画像に対して、その特定の被写体だけを含む領域を切り抜くように画像編集を行うことで、切り抜き画像を取得する技術がある。しかし、この技術では、写真撮影後の画像編集が必要となり、手間がかかる。
【０００４】
そこで、特許文献１（特開２００５−２７７４７６号公報）には、プレビュー表示を行う撮影装置において、プレビュー表示時に表示部上の１つの領域の指定を受け付けた後に撮影指示が入力されると、その指定された領域に対応する領域の画像を切り抜き画像として取得する方法が開示されている。この方法によれば、プレビュー表示時に領域を指定してから撮影指示を入力することで、切り抜き画像を取得できるので、写真撮影後の画像編集が不要となる。
【先行技術文献】
【特許文献】
【０００５】
【特許文献１】特開２００５−２７７４７６号公報
【発明の概要】
【発明が解決しようとする課題】
【０００６】
撮影画像に含まれる複数の被写体のそれぞれについて切り抜き画像を取得したい場合がある。特許文献１に開示の方法においては、領域を１つしか指定できず、１回の撮影で１つの被写体の切り抜き画像しか取得できない。このため、複数の被写体毎の切り抜き画像を取得するには、被写体の数だけ撮影を行う必要があり、手間がかかる。
【０００７】
本発明の目的は、複数の被写体のそれぞれについて切り抜き画像を一括して取得することができる撮影装置、撮影装置の制御方法、および、プログラムを提供することにある。
【課題を解決するための手段】
【０００８】
上記目的を達成するために本発明の撮影装置は、
撮影を行う撮影部と、
撮影指示の入力前の撮影待機状態において前記撮影部の撮影画像を逐次表示するプレビュー表示を行う表示部と、
前記表示部上の複数の領域の指定を受け付け、該指定された複数の領域それぞれの位置を示す位置特定信号を出力する入力部と、
前記位置特定信号を受け付けた後に、前記撮影指示が入力されると、前記位置特定信号に示される前記複数の領域それぞれに対応する領域の画像を取得する制御部と、を有する。
【０００９】
上記目的を達成するために本発明の撮影装置の制御方法は、
撮影装置の制御方法であって、
撮影を行い、
撮影指示の入力前の撮影待機状態において撮影した撮影画像を表示部に逐次表示するプレビュー表示を行い、
前記表示部上の複数の領域の指定を受け付け、該指定された複数の領域それぞれの位置を示す位置特定信号を出力し、
前記位置特定信号を受け付けた後に、前記撮影指示が入力されると、前記位置特定信号に示される前記複数の領域それぞれに対応する領域の画像を取得する。
【００１０】
上記目的を達成するために本発明のプログラムは、
撮影装置に、
撮影を行う処理と、
撮影指示の入力前の撮影待機状態において撮影した撮影画像を表示部に逐次表示するプレビュー表示を行う処理と、
前記表示部上の複数の領域の指定を受け付け、該指定された複数の領域それぞれの位置を示す位置特定信号を出力する処理と、
前記位置特定信号を受け付けた後に、前記撮影指示が入力されると、前記位置特定信号に示される前記複数の領域それぞれに対応する領域の画像を取得する処理と、を実行させる。
【発明の効果】
【００１１】
本発明によれば、複数の被写体のそれぞれについて切り抜き画像を１回の撮影で一括して取得することができる。
【図面の簡単な説明】
【００１２】
【図１】本発明の一実施形態の撮影装置の構成を示すブロック図である。
【図２】図１に示す撮影装置の動作を示すフローチャートである。
【図３】図１に示す表示部に表示されるプレビュー画面の一例を示す図である。
【図４】図１に示す表示部に表示される領域設定画面の一例を示す図である。
【図５】図１に示す表示部に表示される領域設定画面の一例を示す図である。
【図６】図１に示す表示部に表示される一覧画面の一例を示す図である。
【図７】図１に示す表示部に表示される集約画面の一例を示す図である。
【図８】図１に示す表示部に表示される集約編集画面の一例を示す図である。
【図９】図１に示す表示部に表示される詳細画面の一例を示す図である。
【発明を実施するための形態】
【００１３】
以下に、本発明を実施するための形態について図面を参照して説明する。
【００１４】
図１は、本発明の一実施形態の撮影装置１０の構成を示すブロック図である。
【００１５】
図１に示す撮影装置１０は、撮影部１１と、表示部１２と、入力部１３と、制御部１４と、を有する。
【００１６】
撮影部１１は、制御部１４の制御に従い、撮影を行い、撮影画像の画像データを制御部１４に出力する。
【００１７】
表示部１２は、制御部１４の制御に従い、撮影部１１の撮影画像など種々の画像を表示する。
【００１８】
入力部１３は、表示部１２に重ね合わせて配置されたタッチパッドであり、指、スタイラスペンなどの入力手段が接触すると、接触点の位置を示す位置特定信号を制御部１４に出力する。表示部１２および入力部１３は、いわゆるタッチパネルを構成する。
【００１９】
制御部１４は、入力部１３を介した操作入力に応じて、撮影部１１および表示部１２を制御する。また、制御部１４は、撮影部１１の撮影画像から切り抜き画像を作成（取得）する。
【００２０】
次に、本実施形態の撮影装置１０の動作について説明する。
【００２１】
図２は、複数の被写体の、被写体毎の切り抜き画像を取得する場合の撮影装置１０の動作を示すフローチャートである。
【００２２】
撮影機能を有効にする旨が入力部１３を介して入力されると、制御部１４は、撮影部１１に撮影を開始させ、撮影待機状態に移行する。撮影待機状態において、制御部１４は、表示部１２にプレビュー表示を行わせる（ステップＳ１０１）。
【００２３】
図３は、プレビュー表示時に表示されるプレビュー画面３０の一例を示す図である。
【００２４】
図３に示すように、制御部１４は、プレビュー表示領域３１に、撮影部１１の撮影画像を逐次表示させる。なお、以下では、撮影部１１の撮影画像には、５つの被写体Ｓ１〜Ｓ５が含まれているものとする。また、制御部１４は、撮影指示の入力を行う旨を示す撮影ボタン３２および被写体の切り抜きを行う旨を示す切り抜きボタン３３を表示させる。
【００２５】
再び、図２を参照すると、制御部１４は、ボタン押下が行われたか否かを判定する（ステップＳ１０２）。なお、制御部１４は、撮影ボタン３２または切り抜きボタン３３が表示された領域に対応する位置を示す位置特定信号が入力部１３から出力されたか否かに応じてボタン押下が行われたか否かを判定する。
【００２６】
ボタン押下が行われていない場合には（ステップＳ１０２：Ｎｏ）、制御部１４は、処理を繰り返す。
【００２７】
ボタン押下が行われた場合には（ステップＳ１０２：Ｙｅｓ）、制御部１４は、押下されたボタンが撮影ボタン３２であるか否かを判定する（ステップＳ１０３）。なお、制御部１４は、入力部１３から出力された位置特定信号に示される位置が、撮影ボタン３２が表示された領域に対応しているか否かに応じて、押下されたボタンが撮影ボタン３２であるか否かを判定する。
【００２８】
押下されたボタンが撮影ボタン３２である場合には（ステップＳ１０３：Ｙｅｓ）、制御部１４は、撮影指示が入力されたと判定し、撮影部１１に写真撮影を行わせ（ステップＳ１０４）、撮影画像を図１においては不図示の記憶部に記憶させる。
【００２９】
なお、以下では、切り抜きボタン３３が押下されたとする。
【００３０】
切り抜きボタン３３が押下されたため、押下されたボタンは撮影ボタンではない（ステップＳ１０３：Ｎｏ）。制御部１４は、切り抜きボタン３３が押下されたと判定し、領域設定画面を表示部１２に表示させる（ステップＳ１０５）。
【００３１】
図４は、領域設定画面４０の一例を示す図である。
【００３２】
図４に示すように、制御部１４は、プレビュー表示領域３１には撮影部１１の撮影画像を表示させ、また、撮影ボタン３２を表示させる。
【００３３】
再び、図２を参照すると、制御部１４は、入力部１３を介した表示部１２上の領域の指定を受け付ける。ここでは、入力手段を入力部１３に接触させ、被写体Ｓ１〜Ｓ５それぞれを囲むように領域が指定されたとする。制御部１４は、入力手段の接触に応じて入力部１３から出力される位置特定信号に応じて、指定された領域を示す画像を表示部１２に表示させる。
【００３４】
図５は、領域指定後の領域設定画面５０の一例を示す図である。
【００３５】
図５に示すように、制御部１４は、指定された領域を示す領域指示画像５１〜５５を撮影画像に重畳して表示させる。こうすることで、指定した領域の把握が容易となる。
【００３６】
領域の指定後、撮影ボタン３２が押下されたとする。
【００３７】
撮影ボタン３２が押下されると、制御部１４は、撮影部１１に写真撮影を行わせる。さらに制御部１４は、その撮影画像における、指定された複数の領域それぞれに対応する領域の画像を被写体Ｓ１〜Ｓ５の切り抜き画像として作成する（ステップＳ１０６）。
【００３８】
次に、制御部１４は、作成した切り抜き画像の一覧画面を表示部１２に表示させる（ステップＳ１０７）。
【００３９】
図６は、切り抜き画像の一覧画面６０の一例を示す図である。
【００４０】
図６に示すように、制御部１４は、被写体Ｓ１〜Ｓ５の切り抜き画像を並べて表示させる。また、制御部１４は、一覧画面６０の表示状態において、入力部１３を介して切り抜き画像を選択する旨が入力されると、選択された切り抜き画像を示す指示画像６１を表示させる。また、制御部１４は、選択された切り抜き画像の詳細表示を行う旨を示す詳細ボタン６２、選択された切り抜き画像を記憶部に保存する旨を示す保存ボタン６３、および、複数の切り抜き画像を集約させた集約画像を作成する旨を示す集約ボタン６４を表示させる。
【００４１】
再び、図２を参照すると、制御部１４は、ボタン押下が行われたか否かを判定する（ステップＳ１０８）。
【００４２】
ボタン押下が行われていない場合には（ステップＳ１０８：Ｎｏ）、制御部１４は、処理を繰り返す。
【００４３】
ボタン押下が行われた場合には（ステップＳ１０８：Ｙｅｓ）、制御部１４は、押下されたボタンが集約ボタン６４であるか否かを判定する（ステップＳ１０９）。
【００４４】
押下されたボタンが集約ボタンである場合には（ステップＳ１０９：Ｙｅｓ）、制御部１４は、集約選択画面を表示部１２に表示させる（ステップＳ１１０）。
【００４５】
図７は、集約選択画面７０の一例を示す図である。
【００４６】
図７に示すように、制御部１４は、複数の切り抜き画像の集約方式を示す集約方式指示画像７１を表示させる。また、制御部１４は、入力部１３を介して集約方式指示画像７１を選択する旨が入力されると、選択された集約方式指示画像７１に指示画像７２を付して表示させる。また、制御部１４は、集約画像として集約する切り抜き画像の詳細を決定する旨を示す詳細ボタン７３、および、選択された集約方式で切り抜き画像を保存する旨を示す保存ボタン７４を表示させる。
【００４７】
再び、図２を参照すると、制御部１４は、ボタン押下が行われたか否かを判定する（ステップＳ１１１）。
【００４８】
ボタン押下が行われていない場合には（ステップＳ１１１：Ｎｏ）、制御部１４は、処理を繰り返す。
【００４９】
ボタン押下が行われた場合には（ステップＳ１１１：Ｙｅｓ）、制御部１４は、押下されたボタンが詳細ボタン７３であるか否かを判定する（ステップＳ１１２）。
【００５０】
詳細ボタン７３が押下された場合には（ステップＳ１１２：Ｙｅｓ）、制御部１４は、選択された集約方式指示画像７１に示される集約方式を記憶するとともに、集約編集画面を表示部１２に表示させる（ステップＳ１１３）。
【００５１】
図８は、集約方式として４ｉｎ１（４つの切り抜き画像を集約して１つの画像とする）が選択された場合の集約編集画面８０の一例を示す図である。
【００５２】
制御部１４は、集約選択領域８１に４つの切り抜き画像を表示させる。また、ステップＳ１０６で作成された切り抜き画像を集約選択領域８１の周囲（図８においては、集約選択領域８１の左側）に表示させる。なお、作成した切り抜き画像数が多い場合には、制御部１４は、その一部のみを集約選択領域８１の周囲に表示させるとともに、集約選択領域８１の周囲に表示する切り抜き画像を切り替える旨を示す切り替えボタン８２を表示させる。また、制御部１４は、一覧画面６０に戻る旨を示す戻るボタン８３を表示させる。
【００５３】
集約編集画面８０の表示時に、例えば、集約選択領域８１の周囲に表示された切り抜き画像を選択し集約選択領域８１までスライドさせる操作が入力されると、制御部１４は、その切り抜き画像を集約選択領域８１に表示させる。
【００５４】
再び、図２を参照すると、制御部１４は、戻るボタン８３が押下されたか否かを判定する（ステップＳ１１４）。
【００５５】
戻るボタン８３が押下されていない場合には（ステップＳ１１４：Ｎｏ）、制御部１４は、処理を繰り返す。
【００５６】
戻るボタン８３が押下された場合には（ステップＳ１１４：Ｙｅｓ）、制御部１４は、その時点で集約選択領域８１に表示されていた切り抜き画像を記憶するとともに、ステップＳ１０７に戻り、一覧画面６０を表示部１２に表示させる。ここで、制御部１４は、集約選択領域８１に表示されていた切り抜き画像には、指示画像６１を付して表示させる。この状態で、一覧画面６０の保存ボタン６３が押下されると、制御部１４は、記憶していた集約方式で選択された切り抜き画像を集約した集約画像を記憶部に保存させる。
【００５７】
ステップ１１２において、押下されたボタンが詳細ボタン７３ではない場合には（ステップＳ１１２：Ｎｏ）、制御部１４は、保存ボタン７４が押下されたと判定し、選択された集約方式で、ステップＳ１０６で作成した切り抜き画像を所定の順番に集約した集約画像を作成して記憶部に保存させ（ステップＳ１１５）、ステップＳ１０１に戻る。
【００５８】
ステップＳ１０９において、押下されたボタンが集約ボタン６４ではない場合には（ステップＳ１０９：Ｎｏ）、制御部１４は、押下されたボタンが詳細ボタン６２であるか否かを判定する（ステップＳ１１６）。
【００５９】
押下されたボタンが詳細ボタン６２である場合には（ステップＳ１１６：Ｙｅｓ）、制御部１４は、一覧画面６０上で選択されていた切り抜き画像の詳細を示す詳細画面を表示させる（ステップＳ１１７）。
【００６０】
図９は、詳細画面９０の一例を示す図である。なお、図９においては、被写体Ｓ１の切り抜き画像が選択されていたものとする。
【００６１】
図９に示すように、制御部１４は、選択されていた切り抜き画像を拡大した詳細画像９１を表示させる。また、制御部１４は、一覧画面６０に戻る旨を示す戻るボタン９２を表示させる。
【００６２】
再び、図２を参照すると、制御部１４は、戻るボタン９２が押下されたか否かを判定する（ステップＳ１１８）。
【００６３】
戻るボタン９２が押下されていない場合には（ステップＳ１１８：Ｎｏ）、制御部１４は、処理を繰り返す。
【００６４】
戻るボタン９２が押下された場合には（ステップＳ１１８：Ｙｅｓ）、制御部１４は、ステップＳ１０７に戻り、一覧画面６０を表示させる。
【００６５】
ステップＳ１１６において、押下されたボタンが詳細ボタン６４ではない場合には（ステップＳ１１６：Ｎｏ）、制御部１４は、押下されたボタンが保存ボタン６３であると判定し、ステップＳ１０６で作成した切り抜き画像毎に、記憶部に保存させ（ステップＳ１１９）、ステップＳ１０１に戻る。
【００６６】
このように本実施形態によれば、撮影装置１０は、表示部１２上の複数の領域の指定を受け付けた後に、撮影指示が入力されると、指定された複数の領域それぞれに対応する領域の画像を取得する。
【００６７】
そのため、複数の被写体それぞれの切り抜き画像を１回の撮影で一括して取得することができる。
【００６８】
なお、領域設定画面４０において、ある領域を指定した後、他の領域を指定している間に、指定済みの領域に含まれる被写体が移動してしまうことがある。この場合、指定済みの領域に対応する領域の画像を切り抜き画像としても取得しても、その切り抜き画像には被写体が含まれていないことがある。そこで、制御部１４は、指定済みの領域に含まれる被写体の移動を検出すると、その被写体に移動に追従するように、その指定済みの領域を示す領域指示画像も移動させて表示部１２に表示させ、撮影指示があると、その撮影指示があった時点での、その領域指示画像に示される領域の画像を切り抜き画像として取得する。こうすることで、領域設定中に被写体が移動した場合にも、その被写体の切り抜き画像を取得することができる。
【００６９】
また、集合写真などの撮影時に、ある被写体（人物）は笑顔であるが、別の被写体（人物）は目を閉じている場合などがある。この場合、その別の被写体の切り抜き画像は、良い状態での切り抜き画像とはいえない。そこで、制御部１４は、指定された各領域に含まれる被写体の状態（笑顔であるかなど）を検出し、撮影指示が入力されると、各被写体の状態が良いと判定したタイミングで複数回、自動的に静止画像の取り込みを行い、被写体毎に、その被写体の状態が良いと判定したタイミングで取り込んだ静止画像から、その被写体の切り抜き画像を取得するようにしてもよい。こうすることで、被写体毎に良い状態で撮影された切り抜き画像を取得することができる。
【符号の説明】
【００７０】
１０    撮影装置
１１    撮影部
１２    表示部
１３    入力部
１４    制御部
３０    プレビュー画面
３１    プレビュー表示領域
３２    撮影ボタン
３３    切り抜きボタン
４０，５０    領域設定画面
５１〜５５    領域指示画像
６０    一覧画面
６１，７２    指示画像
６２，７３    詳細ボタン
６３，７４    保存ボタン
６４    集約ボタン
７０    集約選択画面
７１    集約方式指示画像
８０    集約編集画面
８１    集約選択領域
８２    切り替えボタン
８３，９２    戻るボタン
９０    詳細画面
９１    詳細画像
【図１】
2013027012.tif 000003
【図２】
2013027012.tif 000004
【図３】
2013027012.tif 000005
【図４】
2013027012.tif 000006
【図５】
2013027012.tif 000007
【図６】
2013027012.tif 000008
【図７】
2013027012.tif 000009
【図８】
2013027012.tif 000010
【図９】
2013027012.tif 000011